(57)【要約】      （修正有）【課題】貼り合せ性能が良く、気泡が生じにくく、タッチ感度が高い曲面スクリーン保護構造を提供する。【解決手段】保護フィルム１及び充填材２を含む曲面スクリーン保護構造であり、保護フィルム１は、平面部１１及び平面部１１の縁部に設けられた延出部１２を含み、平面部１１は曲面スクリーン３の平坦面に貼り合せられ、延出部１２と曲面スクリーン３の縁部曲面との間に隙間が形成され、充填材２は隙間内に充填される。これに基づき、延出部１２と曲面スクリーン３の縁部曲面との形状が一致するか否かに関わらず、充填材２で両者を完全に貼り合わせることができ、さらに、保護フィルム１の平面部１１が曲面スクリーン３の平坦面に良好に貼り合せられるため、保護フィルム１全体を完全に曲面スクリーン３に貼り合せることができ、気泡が生じることがなく、タッチ感度に影響を与えない。【選択図】図１
0003229785.tif 000002
【実用新案登録請求の範囲】
【請求項１】
曲面スクリーン保護構造であって、
平面部及び前記平面部の縁部に設けられた延出部を含み、前記平面部は、前記曲面スクリーンの平坦面に貼り合せられ、前記延出部と前記曲面スクリーンの縁部曲面との間には、隙間が形成される保護フィルムと、
前記隙間内に充填される充填材と、
を含むことを特徴とする曲面スクリーン保護構造。
【請求項２】
前記延出部は、前記平面部と接続する一端から前記平面部から離れた一端に至るに従い前記曲面スクリーンに向かって次第に湾曲していることを特徴とする請求項１に記載の曲面スクリーン保護構造。
【請求項３】
前記延出部の曲率は、前記縁部曲面の曲率よりも小さいことを特徴とする請求項２に記載の曲面スクリーン保護構造。
【請求項４】
前記平面部は、固形接着剤により前記平坦面に貼り付けられることを特徴とする請求項１に記載の曲面スクリーン保護構造。
【請求項５】
前記固形接着剤は、ＡＢ接着剤又は両面テープであることを特徴とする請求項４に記載の曲面スクリーン保護構造。
【請求項６】
前記隙間の前記縁部曲面の法線方向での幅Ｈは、２ｍｍを超えないことを特徴とする請求項１に記載の曲面スクリーン保護構造。
【請求項７】
前記延出部の幅Ｌは０〜２０ｍｍであることを特徴とする請求項１に記載の曲面スクリーン保護構造。
【請求項８】
前記保護フィルムの材質は強化ガラスであることを特徴とする請求項１に記載の曲面スクリーン保護構造。
【請求項９】
前記充填材は液状接着剤であることを特徴とする請求項１に記載の曲面スクリーン保護構造。
【請求項１０】
前記充填材は、光硬化型接着剤、熱硬化型接着剤又は自然硬化型接着剤であることを特徴とする請求項９に記載の曲面スクリーン保護構造。
【考案の詳細な説明】
【技術分野】
【０００１】
本考案は、曲面スクリーンの技術分野に関し、特に、曲面スクリーン保護構造に関する。
【背景技術】
【０００２】
近年、スマートフォン、スマートウォッチ及びタブレット等のデバイスがますます頻繁に使用され、それらで使用される液晶ディスプレイは、壊れやすいものであり、特に、一部のオールスクリーンディスプレイのデバイスは、メンテナンスコストが非常に高い。そのため、液晶ディスプレイの表面に保護フィルムを貼り付けること、例えば、高強度の強化ガラスを貼り付けることが一般的になりつつある。技術の発展に伴い、現在、曲面スクリーンを有するデバイスが市場に出回っており、曲面を有する保護フィルムも市販されているが、このような保護フィルムは、貼り合せ性能が悪く、気泡が生じやすく、タッチ感度が低い等の欠点がある。
【考案の概要】
【考案が解決しようとする課題】
【０００３】
本考案の目的は、貼り合せ性能が良く、気泡が生じにくく、タッチ感度が高い曲面スクリーン保護構造を提供することである。
【課題を解決するための手段】
【０００４】
上記目的を実現するために、本考案は、曲面スクリーン保護構造であって、
平面部及び前記平面部の縁部に設けられた延出部を含み、前記平面部は、前記曲面スクリーンの平坦面に貼り合せられ、前記延出部と前記曲面スクリーンの縁部曲面との間には、隙間が形成される保護フィルムと、
前記隙間内に充填される充填材と、
を含む曲面スクリーン保護構造を提供する。
【０００５】
本出願のいくつかの実施例において、前記延出部は、前記平面部と接続する一端から前記平面部から離れた一端に至るに従い前記曲面スクリーンに向かって次第に湾曲している。
【０００６】
本出願のいくつかの実施例において、前記延出部の曲率は、前記縁部曲面の曲率よりも小さい。
【０００７】
本出願のいくつかの実施例において、前記平面部は、固形接着剤により前記平坦面に貼り合せられる。
【０００８】
本出願のいくつかの実施例において、前記固形接着剤は、ＡＢ接着剤又は両面テープである。
【０００９】
本出願のいくつかの実施例において、前記隙間の前記縁部曲面の法線方向での幅Ｈは２ｍｍを超えない。
【００１０】
本出願のいくつかの実施例において、前記延出部の幅Ｌは０〜２０ｍｍである。
【００１１】
本出願のいくつかの実施例において、前記保護フィルムの材質は強化ガラスである。
【００１２】
本出願のいくつかの実施例において、前記充填材は液状接着剤である。
【００１３】
本出願のいくつかの実施例において、前記充填材は、光硬化型接着剤、熱硬化型接着剤又は自然硬化型接着剤である。
【考案の効果】
【００１４】
本考案は、曲面スクリーン保護構造を提供し、従来技術に比べ、その有益な効果は以下のとおりである。
【００１５】
延出部と曲面スクリーンの縁部曲面との形状が一致するか否かにもかかわらず、充填材で両者を完全に貼り合わせることができ、さらに、保護フィルムの平面部が曲面スクリーンの平坦面に良好に貼り合せられるため、保護フィルム全体を完全に曲面スクリーンに貼り合せることができ、気泡が生じることがなく、タッチ感度に影響を与えない。これに基づき、本考案が提供する曲面スクリーン保護構造は、貼り合せ性能が良く、気泡が生じにくく、タッチ感度が高い等の利点を有する。
【図面の簡単な説明】
【００１６】
【図１】本考案の実施例の曲面スクリーン保護構造の模式図１である。
【図２】本考案の実施例の曲面スクリーン保護構造の模式図２である。
【符号の説明】
【００１７】
１  保護フィルム、１１  平面部、１２  延出部、２  充填材、３  曲面スクリーン。
【考案を実施するための形態】
【００１８】
以下、本出願の実施例における図面を参照しながら、本出願の実施例における技術的解決手段を明確且つ完全に説明する。明らかなように、以下に説明する実施例は、本出願の実施例の一部に過ぎず、全ての実施例ではない。本出願における実施例に基づき、当業者が創造的な努力をせずに得られた全ての他の実施例は、いずれも本出願の保護範囲に属するものである。
【００１９】
なお、本出願の説明において、「中央」、「上」、「下」、「前」、「後」、「左」、「右」、「垂直」、「水平」、「頂」、「底」、「内」、「外」等の用語で示された方位又は位置関係は、図面に示された方位又は位置関係に基づき、本出願の説明の便宜及び簡略化のためのものに過ぎず、かかる装置又は要素が必ずしも特定の方位をとり、特定の方位で構成・操作されることを明示又は暗示するものではないので、本出願に対する制限として理解されるべきではない。「第１」、「第２」の用語は、同じタイプの技術的特徴を区別するように説明するためのものに過ぎず、これらの技術的特徴の相対的な重要性、順序及び数を明示又は暗示するものとして理解されるべきではなく、すなわち、「第１」技術的特徴は「第２」技術的特徴と呼ばれてもよく、「第２」技術的特徴は「第１」技術的特徴と呼ばれてもよく、かつ、「第１」、「第２」が限定された技術的特徴については、１つ又は複数の該技術的特徴を明示的又は暗示的に含んでもよい。また、特に断りのない限り、「複数」とは、２つ又は２つ以上であることを指す。
【００２０】
なお、本出願の説明において、「取り付け」、「連結」、「接続」の用語は、明確に規定・制限されていない限り、広義に理解されるべきであり、例えば、固定的に接続してもよく、着脱可能に接続してもよく、又は一体的に接続してもよい。また、機械的に接続してもよく、電気的に接続してもよい。また、直接的に連結してもよく、中間媒体を介して間接的に連結してもよく、２つの要素の内部における接続であってもよい。当業者であれば、本出願において上記の用語の具体的な意味に対して、具体的な状況に応じて理解することができる。
【００２１】
図１に示すように、本考案の実施例は、保護フィルム１と、充填材２とを含む曲面スクリーン保護構造を提供し、保護フィルム１は、平面部１１及び平面部１１の縁部に設けられた延出部１２を含み、平面部１１は、曲面スクリーン３の平坦面に貼り合せられ、延出部１２と曲面スクリーン３の縁部曲面との間には、隙間が形成され、充填材２は隙間内に充填される。
【００２２】
上記の構成に基づいて、延出部１２と曲面スクリーン３の縁部曲面との形状が一致するか否かにもかかわらず、充填材２で両者を完全に貼り合わせることができ、さらに、保護フィルム１の平面部１１が曲面スクリーン３の平坦面に良好に貼り合せられるため、保護フィルム１全体を完全に曲面スクリーン３に貼り合せることができ、気泡が生じることがなく、タッチ感度に影響を与えない。従来技術に比べ、本考案が提供する曲面スクリーン保護構造は、貼り合せ性能が良く、気泡が生じにくく、タッチ感度が高い等の利点を有する。
【００２３】
また、図２に示すように、本実施例では、曲面スクリーン３の縁部曲面によりよく貼り合せるように、延出部１２は、平面部１１と接続する一端から平面部１１から離れた一端に至るに従い曲面スクリーン３に向かって次第に湾曲してもよい。このような湾曲は、熱曲げ加工によって形成されてもよい。
【００２４】
さらに、延出部１２と曲面スクリーン３の縁部曲面との間に隙間を形成することを確保するために、延出部１２の曲率は、曲面スクリーン３の縁部曲面の曲率よりも小さいであってもよい。
【００２５】
また、本実施例では、平面部１１と曲面スクリーン３の平坦面との間に貼り付けられていない領域が存在することによる気泡の発生やタッチ感度の低下を防止するように、平面部１１が固形接着剤により曲面スクリーン３の平坦面に貼り付けられてもよい。上記の固形接着剤の種類としては、ＡＢ接着剤（ＡＢ  ｇｌｕｅ）、両面テープ等が挙げられるが、これらに限定されない。
【００２６】
また、図１及び図２に示すように、本実施例では、隙間内に充填材２を充填することを容易にし、該曲面スクリーン保護構造の取り付け難易度を低下させ、同時に該曲面スクリーン保護構造の美観を向上させるために、隙間の曲面スクリーン３の縁部曲面の法線方向での幅Ｈは、２ｍｍを超えないようにしてもよい。
【００２７】
また、図１及び図２に示すように、本実施例では、延出部１２を曲面スクリーン３の縁部曲面全体に貼り付けることができるのを確保するために、延出部１２の幅Ｌは、０〜２０ｍｍであってもよい。
【００２８】
また、本実施例では、曲面スクリーン３に対する保護効果を向上させるために、保護フィルム１の材質は、強化ガラス又は他の硬質透明材料であってもよい。
【００２９】
また、本実施例では、充填材２は、固化可能な液状接着剤であってもよい。この液状接着剤のタイプとしては、光硬化型接着剤、熱硬化型接着剤、自然硬化型接着剤等が挙げられるが、これらに限定されず、それらの中で、ＵＶ接着剤が最も好ましい。
【００３０】
以上のように、本考案の実施例は、保護フィルム１と、充填材２とを含む曲面スクリーン保護構造を提供し、保護フィルム１の平面部１１は、曲面スクリーン３の平坦面に貼り合せられ、保護フィルム１の延出部１２と曲面スクリーン３の縁部曲面との間には、隙間が形成され、充填材２は隙間内に充填される。従来技術に比べ、該曲面スクリーン保護構造は、貼り合せ性能が良く、気泡が生じにくく、タッチ感度が高い等の利点を有する。
【００３１】
なお、以上に説明したものは、本考案の好ましい実施形態にすぎず、当業者であれば、本考案の技術的思想から逸脱しない範囲内で、いくつかの改善及び置換を行うことができ、これらの改善及び置換も本考案の保護範囲内のものとみなされるべきである。
【図１】
0003229785.tif 000003
【図２】
0003229785.tif 000004